(57)【要約】【課題】軽量で、分解、再生、一部取り替え等が容易で且つ低コストで行え、リサイクル使用に非常に優れたパレットの提供を課題とする。【解決手段】荷物を載せるための天板部１０と、該天板部１０を下から支持すると共に接地するための基礎脚部２０とを備えたパレット１であって、前記天板部１０は木製板材１１を用い、これを複数枚平行に配して構成し、前記基礎脚部２０は発泡樹脂を用い、その上面に複数の嵌合用溝を平行に配して構成し、且つ前記基礎脚部２０の嵌合用溝に前記天板部１０の各木製板材１１を嵌め合わせることで基礎脚部２０の上に天板部１０が嵌合されてなるパレット形状を形作ると共に、結束バンド３０を用いて、これを前記木製板材１１が嵌め合わされた基礎脚部２０に巻回することで基礎脚部２０と木製板材１１とを一体的に締め付け固定してある。【選択図】      図１
2007246141.tif 000002
【特許請求の範囲】
【請求項１】
荷物を載せるための天板部と、該天板部を下から支持すると共に接地するための基礎脚部とを備えたパレットであって、前記天板部は木製板材を用い、これを複数枚平行に配して構成し、前記基礎脚部は発泡樹脂を用い、その上面に複数の嵌合用溝を平行に配して構成し、且つ前記基礎脚部の嵌合用溝に前記天板部の各木製板材を嵌め合わせることで基礎脚部の上に天板部が嵌合されてなるパレット形状を形作ると共に、結束バンドを用いて、これを前記木製板材が嵌め合わされた基礎脚部に巻回することで基礎脚部と木製板材とを一体的に締め付け固定してあることを特徴とするパレット。
【請求項２】
基礎脚部の嵌合用溝は木製板材が嵌合したときに木製板材の上面と基礎脚部の上面とが面一となる深さに構成してあることを特徴とする請求項１に記載のパレット。
【請求項３】
基礎脚部の両端の上面のコーナー部に、結束バンドを受け入れるための受け入れ溝を傾斜させて構成すると共に、その傾斜した受け入れ溝の上端が基礎脚部の嵌合用溝縁に近接して位置するように構成していることを特徴とする請求項１又は２に記載のパレット。
【発明の詳細な説明】
【技術分野】
【０００１】
本発明はパレットに関し、より詳しくは、物流等において上に荷物を載せて梱包したり、運搬したりするのに供せられるパレットに関する。
【背景技術】
【０００２】
従来、建設現場やその他の場所で使用されているパレットとしては、木製材を用い、これを釘で結合してパレットにしたものが一般的であった。この従来の木製パレットの場合には、パレットが多数の釘の打ち付けによって形作られているため、リサイクル使用の際に一部を取り替えたり、分解再生を行うのに、打ち付けていた複数の釘を抜いたりする必要があり、作業時間や人件費等、コストがかかるという問題があった。また寸法が大きくなると、重量が重くなるという問題があった。
一方、特開平７−７６８０２号公報には、発泡樹脂で構成されたパレットが提供されている。
【特許文献１】特開平８−２７６９３４号公報
【発明の開示】
【発明が解決しようとする課題】
【０００３】
上記特許文献１に示すようなパレットは、非常に軽量である点においてパレットの利点となるものであるが、その一方、全体が一体成形物的に構成されているため、パレットの一部が破損した場合においても、全体が使用不能となり、一部を補修したり、取り替えたりしてリサイクル使用することができないという問題があった。
【０００４】
そこで本発明は上記従来技術の問題を解決し、軽量で、分解、再生、一部取り替え等が容易で且つ低コストで行え、リサイクル使用に非常に優れたパレットの提供を課題とする。
【課題を解決するための手段】
【０００５】
上記課題を達成するための本発明のパレットは、荷物を載せるための天板部と、該天板部を下から支持すると共に接地するための基礎脚部とを備えたパレットであって、前記天板部は木製板材を用い、これを複数枚平行に配して構成し、前記基礎脚部は発泡樹脂を用い、その上面に複数の嵌合用溝を平行に配して構成し、且つ前記基礎脚部の嵌合用溝に前記天板部の各木製板材を嵌め合わせることで基礎脚部の上に天板部が嵌合されてなるパレット形状を形作ると共に、結束バンドを用いて、これを前記木製板材が嵌め合わされた基礎脚部に巻回することで基礎脚部と木製板材とを一体的に締め付け固定してあることを第１の特徴としている。
また本発明のパレットは、上記第１の特徴に加えて、基礎脚部の嵌合用溝は木製板材が嵌合したときに木製板材の上面と基礎脚部の上面とが面一となる深さに構成してあることを第２の特徴としている。
また本発明のパレットは、上記第１又は弟２の特徴に加えて、基礎脚部の両端の上面のコーナー部に、結束バンドを受け入れるための受け入れ溝を傾斜させて構成すると共に、その傾斜した受け入れ溝の上端が基礎脚部の嵌合用溝縁に近接して位置するように構成していることを弟３特徴としている。
【発明の効果】
【０００６】
請求項１に記載のパレットによれば、天板部を構成する複数枚の木製板材を、発泡樹脂からなる基礎脚部の上面の嵌合用溝に嵌め込むことで、基礎脚部に対して天板部の複数本の木製板材が平行に嵌め込まれた状態のパレット形状が簡単に形作られる。そしてそのパレット形状が形作られた状態において、結束バンドで木製板材が嵌め合わされた基礎脚部を巻回して一体に締め付け固定することで、パレットが完成される。また結束バンドを切断し或いは緩め或いは結束を解除することで、パレットが即分解可能状態となる。
よってパレットが、木製の天板部と発泡樹脂の基礎脚部と結束バンドによって、釘などを使用することなく、非常に簡単、容易に完成し、使用に供することができる。また結束バンドを切断し或いは緩め或いは結束解除することでパレットが即分解可能状態となり、後は天板部の各木製板材を基礎脚部からその嵌合を外すだけで完全な分解が達成される。よって天板部の完成と分解とを非常に効率よく短時間で行うことができ、パレットのリサイクル使用とその補修作業等に非常に適したものとすることができる。
またパレットの主要部である天板部を木製板材とすると共に、基礎脚部を発泡樹脂で構成するため、木製板材による天板部の良さを保持しながら、全体としても十分に軽量にすることができ、また破損し易い基礎脚部を発泡樹脂としたことで、破損し易い部分を低コストで取り替えすることができる。
勿論、基礎脚部を構成する発泡樹脂は圧力等に対する緩衝性に優れているので、地面等への衝突等による衝撃にも強く、衝撃に対する荷物の保護が良好となる。同様に本パレットを用いて梱包した荷物を段済みした場合でも、基礎脚部の発泡樹脂により製品の保護に優れる。
更に荷物等による荷重に対するタワミ強度を木製の天板部で保持し、且つ耐圧強度を発泡樹脂によりその発泡倍率を調整することで、対象となる荷物の重さ等に応じて強度と軽さを種々に調整することができる。
【０００７】
請求項２に記載のパレットによれば、請求項１の構成による作用効果に加えて、基礎脚部の嵌合用溝は木製板材が嵌合したときに木製板材の上面と基礎脚部の上面とが面一となる深さに構成してあるので、パレットの上に荷物が載せられたときに該荷物の重みを面一状態にある木製板材と基礎脚部によって十分に広い面積で荷重を分散させて均一に受けることができ、耐荷重性能を十分に保持することができる。加えて結束バンドによる締め付け固定を面一状態にある木製板材にも十分に及ぼすことができるので、基礎脚部と木製板材との強固な固定を達成させることができる。
【０００８】
また請求項３に記載のパレットによれば、請求項１又は２に記載の構成による作用効果に加えて、基礎脚部の両端の上面のコーナー部に、結束バンドを受け入れるための受け入れ溝を傾斜させて構成すると共に、その傾斜した受け入れ溝の上端が基礎脚部の嵌合用溝縁に近接して位置するように構成しているので、前記構成の受け入れ溝によって結束バンドの巻回が安定した位置に確定され、結束バンドによる締め付け固定が安定して確実に行える。加えて、前記傾斜して構成された受け入れ溝の上端が嵌合用溝縁に近接して位置することで、嵌合用溝に嵌め込まれた木製板材に対する結束バンドによる押さえつけをより確実にすることができ、結束バンドによる基礎脚部と木製板材の締め付け固定を安定して確実に行える。
【発明を実施するための最良の形態】
【０００９】
以下の図面を参照して、本発明の実施形態に係るパレットついて説明する。
図１は本発明の実施形態に係るパレットの全体斜視図、図２は本発明の実施形態に係るパレットを示し、（Ａ）は平面図、（Ｂ）は（Ａ）を右から見た図、（Ｃ）は正面図である。図３はパレットの基礎脚部を示す斜視図、図４は基礎脚部の一部拡大図、図５はパレットに荷重がかかった状態を説明する基礎脚部の断面図である。
【００１０】
パレット１は、天板部１０と基礎脚部２０と、結束バンド３０とからなる。
前記天板部１０は、複数枚の木製板材１１からなる。この木製板材１１が一方向に平行に配されることで、天板部１０を構成する。木製板材１１は、例えば断面が長方形状の細長い板材を用いることができる。が、前記断面は長方形状に限定されるものではない。
前記木製板材１１の平行間隔は、構成されるパレット１の大きさや荷物の種類、その他の条件で適切な間隔とすることができる。同様に木製板材１１の枚数も特に定められた数に限定されるものではない。
天板部１０は、本実施形態では長方形状とし、その長手方向が木製板材１１の長手方向と一致する状態に構成されている。しかし勿論、天板部１０の長手方向が木製板材１１の長手方向に直角な方向となる天板部１０であってもよい。
また天板部１０は正方形状であってもよい。
【００１１】
前記基礎脚部２０は、発泡スチロールを材料としている。発泡スチロールとすることで、軽量性、弾力性、荷重に対する緩衝性を発揮することができる。しかしながら他の軽量で、破損し難い発泡樹脂であっても可能である。
基礎脚部２０は天板部１０を下から支持すると共に、地面等に接地するための部材である。基礎脚部２０は長方形状体とすると共に、その厚みを前記天板部１０に比べて十分厚く構成している。
基礎脚部２０は、その長手方向が前記天板部１０の木製板材１１の長手方向とは直角になるようにして配置する。本実施形態では基礎脚部２０は、天板部１０の両端付近と中央付近に、計３体を配している。
基礎脚部２０は、少なくとも一対を天板部１０の両端付近に配置する。しかしながら基礎脚部２０を他の天板部１０の位置にも配置するか否かは、天板部１０の長さに応じて、パレット１の強度が低下しないようにその配置間隔を考慮し、必要に応じた数を配置すればよい。
【００１２】
前記基礎脚部２０の上面に、前記複数の木製板材１１を嵌め合わせるための複数の嵌合用溝２１を設けている。この嵌合用溝２１は、基礎脚部２０の長手方向とは直角な方向に構成され、且つ複数個が平行に配された状態に構成されている。
嵌合用溝２１の深さ、幅等の寸法は木製板材１１が丁度嵌り合う寸法とし、各木製板材１１が各嵌合用溝２１に嵌り合った状態で、木製板材１１の上面と基礎脚部２０の上面とが面一（同一平面上にある状態）になるようにしている。
本実施形態では、嵌合用溝２１は６筋設けられ、よって６枚の木製板材１１が各嵌合用溝２１に嵌り込んで、すのこ状の平行な木製板材１１からなる天板部１０を構成している。
【００１３】
基礎脚部２０の長手方向の両端の上面のコーナー部に、受け入れ溝２２を傾斜させて構成している。この受け入れ溝２２は、結束バンド３０を受け入れる溝である。本実施形態では、受け入れ溝２２は所定の間隔をあけて一対を構成しているが、必ずしも一対である必要はない。１つ或いは３つ設けられるようにしてもよい。受け入れ溝２２の幅は結束バンド３０の幅よりも少し大きくしてある。
傾斜した各受け入れ溝２２の上端２２ａは、前記基礎脚部２０の一番両端にある嵌合用溝２１の縁に近接して位置するように構成している。
【００１４】
前記結束バンド３０は、例えばポリプロピレン製のバンドを用いることができる。勿論、結束バンド３０の材質はポリプロピレン製以外の強度の大きい樹脂製や、その他の材料からなる帯であってもよい。
結束バンド３０は、その結束位置を前記受け入れ溝２２内に配置することもできる。この場合には、結束位置が基礎脚部２０の表面に出っ張ることがない。
【００１５】
符号４０はワイヤ止め用木材である。荷物を載せたパレット１にワイヤを掛けて運搬を行う場合等において、ワイヤのズレを防止する。ワイヤ止め用木材４０は、必要に応じて設けることができる。
【００１６】
本実施形態におけるパレット１の組み立てを説明する。
今、基礎脚部２０を３体用意し、木製板材１１は基礎脚部２０の嵌合用溝２１の溝数（本実施形態では６）と同数用意する。そして木製板材１１を１本ずつ、その両端付近と中央付近で、それぞれ各基礎脚部２０の嵌合用溝２１に順次嵌め合わせて行く。これによって、木製板材１１が平行に配されてなる天板部１０が３体の基礎脚部２０で下から支持された状態のパレット形状が形作られる。この状態では、形はパレットの形状となっているが、未だ全体が結合された状態とはなっていない、いわゆる仮組み状態である。次に結束バンド３０により、木製板材１１が嵌合された各基礎脚部２０を、該基礎脚部２０の受け入れ溝２２を利用して長手方向（木製板材１１の長手方向に直角な方向）に巻回し、十分に緊張させた状態として、結束バンド３０を端部で重ねて連結する。全基礎脚部２０への結束バンド３０による締め付け固定を終了することで、基礎脚部２０と天板部１０とが結束バンド３０で完全に締め付け固定された強固なパレット１が完成する。必要に応じてワイヤ止め用木材４０を取り付ける。
【００１７】
図５を参照して、結束バンド３０によって、基礎脚部２０が木製板材１１と共に結束された状態では、基礎脚部２０の嵌合用溝２１に嵌り込んでいる木製板材１１は、結束バンド３０によって上面から押さえ付けられた状態で固定されている。そしてパレット１に荷物が載せられることで、図面上で下向きの矢印で示す力が加わった場合には、基礎脚部２０は横方向に拡がろうとするが、結束バンド３０によってその拡がりが阻止される。結果として、図面上の左右からの矢印が示すように、基礎脚部２０が左右から一層強く木製板材１１を挟持し、パレット１の強度を向上させる。
【００１８】
パレット１が回収され、その一部の破損を修復してリサイクルに供せんとする場合には、パレット１を分解する必要が生じる。この場合には、結束バンド３０を切断すれば、後は木製板材１１と基礎脚部２０との嵌合を外すだけでよいので、労せず簡単に、短時間で分解ができる。そして破損のある基礎脚部２０或いは木製板材１１を取り替えて、再び結束バンド３０で結束することで、速やかに再生がなり、リサイクル使用の準備を整えるこができる。
特にパレット１においては基礎脚部２０に劣化や破損が生じる場合が多いが、その場合には、破損した基礎脚部２０だけについて結束バンド３０を外し、その基礎脚部２０を取り替えればよいので、一層容易に再生ができる。破損し易い基礎脚部２０は発泡スチロールであるので、単価が安く、低コストでパレット１の再生、利用ができる。
【図面の簡単な説明】
【００１９】
【図１】本発明の実施形態に係るパレットの全体斜視図である。
【図２】本発明の実施形態に係るパレットを示し、（Ａ）は平面図、（Ｂ）は（Ａ）を右から見た図、（Ｃ）は正面図である。
【図３】パレットの基礎脚部を示す斜視図である。
【図４】基礎脚部の一部拡大図である。
【図５】パレットに荷重がかかった状態を説明する基礎脚部の断面図である。
【符号の説明】
【００２０】
１      パレット
１０    天板部
１１    木製板材
２０    基礎脚部
２１    嵌合用溝
２２    受け入れ溝
２２ａ  上端
３０    結束バンド
４０    ワイヤ止め用木材
【図１】
2007246141.tif 000003
【図２】
2007246141.tif 000004
【図３】
2007246141.tif 000005
【図４】
2007246141.tif 000006
【図５】
2007246141.tif 000007